(57)【要約】【課題】簡単な手順により、任意の映像をデコーダ停止時に表示する画面として設定し得る映像復号装置を提供する。【解決手段】映像デコード部１３２の運用時に、映像デコード部１３２により得られる複数フレームの映像信号のうち任意の１フレームの静止画データを静止画データ発生部１３４の表示画面記憶メモリ１３４１に登録しておくようにし、映像デコード部１３２の停止時に、表示画面記憶メモリ１３４１から静止画データを読み出し、切替器１３３を介して送出するようにしている。【選択図】      図１
2008236329.tif 000002
【特許請求の範囲】
【請求項１】
フレーム構造の放送素材ＴＳ（Transport Stream）を映像信号に復号する復号器と、
この復号器の運用時に、当該復号器により得られる複数フレームの映像信号のうち任意の１フレームの静止画データを格納する記録媒体を備え、前記復号器に対する停止制御を受けた場合に、前記記録媒体に格納された静止画データを発生する静止画データ発生手段と、
前記復号器の停止時に、前記復号器の出力に代わって前記静止画データを送出する切替手段とを具備したことを特徴とする映像復号装置。
【請求項２】
前記切替手段は、前記復号器に対する実行制御を受けた場合に、前記静止画データから前記復号器の出力に切り替えることを特徴とする請求項１記載の映像復号装置。
【発明の詳細な説明】
【技術分野】
【０００１】
この発明は、例えば放送局内に用いられ、放送素材ＴＳ（Transport Stream）を元の映像信号に復号する映像復号装置に関する。
【背景技術】
【０００２】
周知のように、放送局内にあっては、例えばテレビジョン放送やラジオ放送の番組、ＣＭ（コマーシャル）、文字やデータによる番組等の放送素材ＴＳを記憶し、任意のタイミングで放送素材ＴＳを再生する番組／ＣＭ／映像・音声ファイル蓄積送出装置（以下、素材蓄積送出装置と称する）が使用されている。
【０００３】
ところで、上記放送局内では、運用者による上記素材蓄積装置に記憶された放送素材ＴＳの確認作業が要求されており、このため、再生された放送素材ＴＳを元の映像信号に復号するデコーダが用いられる。
【０００４】
しかし、デコーダ停止時に運用者の端末等に表示される映像は、外部からのＲＧＢ(Red Green Blue)値などを用いて設定するものであり、単純な画面全体の色設定しか行えない。
【０００５】
なお、従来では、動画データのソース切替の指示時に、デコーダを停止させ、切替指示前のソースの静止画を表示する手法が考えられている（例えば、特許文献１）。
【特許文献１】特開２００５−２７７７０１号公報。
【発明の開示】
【発明が解決しようとする課題】
【０００６】
しかしながら、上記手法では、切替指示前のソースの静止画を表示するものであり、任意の静止画を表示するものではない。
【０００７】
そこで、この発明の目的は、簡単な手順により、任意の映像をデコーダ停止時に表示する画面として設定し得る映像復号装置を提供することにある。
【課題を解決するための手段】
【０００８】
上記目的を達成するために、この発明に係る映像復号装置は、フレーム構造の放送素材ＴＳ（Transport Stream）を映像信号に復号する復号器と、この復号器の運用時に、当該復号器により得られる複数フレームの映像信号のうち任意の１フレームの静止画データを格納する記録媒体を備え、復号器に対する停止制御を受けた場合に、記録媒体に格納された静止画データを発生する静止画データ発生手段と、復号器の停止時に、復号器の出力に代わって静止画データを送出する切替手段とを備えるようにしたものである。
【０００９】
この構成によれば、復号器の運用時に、復号器により得られる複数フレームの映像信号のうち任意の１フレームの静止画データを記録媒体に記録しておくようにし、復号器の停止時に、記録媒体から静止画データを読み出して送出するようにしている。
【００１０】
従って、外部制御機器から停止の度に静止画データを転送する必要がなく、また外部で行う処理は復号器に対する停止制御のみとなり、これにより簡単な手順により、任意の映像をデコーダ停止時に表示する画面として設定できる。
【発明の効果】
【００１１】
以上詳述したようにこの発明によれば、簡単な手順により、任意の映像をデコーダ停止時に表示する画面として設定し得る映像復号装置を提供することができる。
【発明を実施するための最良の形態】
【００１２】
以下、この発明の実施形態について図面を参照して詳細に説明する。  
図１は、この発明の一実施形態に係る映像復号装置が適用される局内システムの構成を示すブロック図である。
【００１３】
図１において、図中符号１１は記憶装置で、互いに映像・音声から成り、テレビジョン放送番組やＣＭのほか、天気予報、交通情報、ニュース等のデータ放送番組を構成する複数の放送素材ＴＳが記憶されている。これら放送素材ＴＳは、再生制御部１２による制御の下、本発明の映像復号装置に相当するデコーダ１３のＴＳ分離部１３１に供給され、ここで映像ＴＳ、音声ＴＳ、データＴＳ等に分離される。
【００１４】
このうち、映像ＴＳは、映像デコード部１３２に供給されて、元の映像信号に復号され、切替器１３３を介して送出される。一方、音声ＴＳ、データＴＳ等は、切替器１３３を介して送出される。
【００１５】
再生制御部１２は、外部プログラム１４からの再生制御指示情報に従って記憶装置１１から該当する放送素材ＴＳを読み出してデコーダ１３に供給する。
【００１６】
ところで、この実施形態では、デコーダ１３に、映像デコード部１３２により得られる複数フレームの映像信号のうち外部より登録指定された１フレームの静止画データを表示画面メモリ１３４に記録する静止画データ発生部１３４が設けられている。この静止画データ発生部１３４は、外部プログラム１４により映像デコード部１３２に対する停止制御を受けた場合に、表示画面メモリ１３４から静止画データを読み出し、切替器１３３を介して送出する。
【００１７】
次に、上記構成による処理動作について説明する。  
静止画データ発生部１３４では、映像デコード部１３２により復号される複数フレームの映像信号のうち任意の１フレームの映像信号を表示画面記憶メモリ１３４１に書き込むことで、停止時の設定画面を得る。
【００１８】
このようにして得られた静止画データは上記切替器１３３に供給される。この切替器１３３は、映像デコード部１３２の運用時に映像デコード部１３２で復号された映像信号を導出し、映像デコード部１３２の停止時には静止画データ発生部１３４からの静止画データを導出する。
【００１９】
図２を参照して具体的に説明すると、運用時に、切替器１３３には、図２（ａ）に示すような複数フレームの映像信号が入力される。切替器１３３では、外部プログラム１４による映像デコード部１３２の停止制御を受けた時点で、映像デコード部１３２の出力から静止画データ発生部１３４からの静止画データに切り替える。
【００２０】
これにより、切替器１３３の入力は図２（ｂ）に示すようになり、映像デコード部１３２の停止時に、映像を表示させることができる。
【００２１】
以上のように上記実施形態では、映像デコード部１３２の運用時に、映像デコード部１３２により得られる複数フレームの映像信号のうち任意の１フレームの静止画データを静止画データ発生部１３４の表示画面記憶メモリ１３４１に登録しておくようにし、映像デコード部１３２の停止時に、表示画面記憶メモリ１３４１から静止画データを読み出し、切替器１３３を介して送出するようにしている。
【００２２】
従って、外部プログラム１４から停止の度に静止画データをデコーダ１３に転送する必要がなく、また外部プログラム１４では映像デコード部１３２に対する停止制御のみ実行すればよく、設定された画面表示の切替動作はデコーダ１３内部で実行することで、簡単な手順により、任意の映像をデコーダ停止時に表示する画面として設定できる。
【００２３】
また、外部プログラム１４からの制御により再生が開始された時に、切替器１３３は即座に映像デコード部１３２により得られる映像画面に切り替えることができる。
【００２４】
なお、本発明を実施形態に基づき説明したが、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００２５】
【図１】この発明の一実施形態に係る映像復号装置が適用される局内システムの構成を示すブロック図。
【図２】同実施形態において、映像信号と静止画データとの切替動作を説明するために示す図。
【符号の説明】
【００２６】
１１…記憶装置、１２…再生制御部、１３…デコーダ、１４…外部プログラム、１３１…ＴＳ分離部、１３２…映像デコード部、１３３…切替器、１３４…静止画データ発生部、１３４１…表示画面記憶メモリ。
【図１】
2008236329.tif 000003
【図２】
2008236329.tif 000004